(57)【要約】【課題】液晶パネルの白色光の色温度を所望の色温度に合わせるには、バックライト自体の色温度を調整する必要があった。また、カラーフィルタによる色温度調整には限界があった。【解決手段】マイコン２５がインバータ２４に送信する制御信号により、色温度の高い蛍光管２３ａと、色温度の低い蛍光管２３ｂとに夫々供給される駆動パルス信号のデューティ比を個別に変化させ、バックライト部２３全体が照射する照射光の色温度を、青みがかった白と赤みがかった白との間で自由に調整する。したがって、液晶パネル２２を透過する白色光の色温度も、青みがかった白と赤みがかった白との間で調整され、液晶パネル２２の白色光の色温度を、仕向け国に応じた適切な色温度に容易に調整することができる。【選択図】  図３
2005309004.tif 000002
【特許請求の範囲】
【請求項１】
ＲＧＢに対応する複数の画素にて構成される液晶パネルと、所定のデジタル映像信号を入力し同デジタル映像信号に基づく映像を同液晶パネルに表示させる液晶パネル駆動部と、同液晶パネルを背面側から照射するバックライト部と、交流電圧を同バックライト部に供給して同バックライト部を所定の輝度により点灯させるインバータと、同インバータに接続して所定の制御処理を行なうマイコンとを備える液晶モジュールにおいて、
同バックライト部は、色温度が高い蛍光管と色温度が低い蛍光管とによる複数の蛍光管を備え、
同マイコンは、同インバータに上記交流電圧のデューティ比を変化させる制御信号を送信し、同インバータに同制御信号に基づいて複数の蛍光管の輝度を各蛍光管毎に変化させることにより、同バックライト部が照射する照射光の色温度を調整することを特徴とする液晶モジュール。
【請求項２】
色温度が互いに異なる複数のバックライトを有し、液晶パネル周辺の所定位置に配設されて同液晶パネルを背面側から照射するバックライト部と、
同バックライト部の複数のバックライトの輝度を各バックライト毎に変化させることにより、同バックライト部から照射される照射光の色温度を調整するバックライト調整部とを備えることを特徴とするバックライト調整装置。
【請求項３】
上記バックライト部は、色温度が高いバックライトと色温度が低いバックライトとからなることを特徴とする請求項２に記載のバックライト調整装置。
【請求項４】
上記バックライト部は、上記液晶パネルの略側面位置に配設されることを特徴とする請求項２または請求項３のいずれかに記載のバックライト調整装置。
【請求項５】
上記バックライト部の複数のバックライトは、蛍光管であることを特徴とする請求項２〜請求項４のいずれかに記載のバックライト調整装置。
【請求項６】
上記バックライト調整部は、上記バックライト部に交流電圧を供給して上記バックライト部の複数のバックライトを所定の輝度により点灯させるインバータと、同インバータに所定の制御信号を送信して、同インバータに同制御信号に基づいて複数のバックライトの輝度を各バックライト毎に変化させるインバータ制御部とを備えることを特徴とする請求項２〜請求項５のいずれかに記載のバックライト調整装置。
【請求項７】
上記インバータ制御部は、上記インバータが上記バックライト部に供給する交流電圧のデューティ比を変化させる制御信号を上記インバータに送信することを特徴とする請求項６に記載のバックライト調整装置。
【請求項８】
上記インバータ制御部は、上記インバータが上記バックライト部に供給する交流電圧のデューティ比を変化させる度合いを予めデータとして有しており、当該データに基づく制御信号を上記インバータに送信することを特徴とする請求項７に記載のバックライト調整装置。
【発明の詳細な説明】
【技術分野】
【０００１】
本発明は、液晶モジュールおよびバックライト調整装置に関し、特に、複数のバックライトを用いる液晶モジュールおよびバックライト調整装置に関する。
【背景技術】
【０００２】
従来、この種の複数のバックライトを用いる液晶モジュールとして、内部光源と外部光源とを切り換えて供給する光源切換手段と、ホワイトバランス調整用の信号を出力するホワイトバランスセンサと、光源切換手段が外部光源に切換えたときにホワイトバランスセンサの出力に基づいて外部光源に合わせた色温度でＬＣＤを駆動するＬＣＤ駆動回路とを備えたディスプレイ装置が知られている（例えば、特許文献１参照。）。
【０００３】
上記ディスプレイ装置において、光源切換手段でバックライトを内部光源に切換えた場合は、ＬＣＤ駆動回路は、内部光源の色温度に対応して予め設定してある色相にてＬＣＤを駆動する。一方、バックライトを外部光源に切換えた場合は、ＬＣＤ駆動回路は、ホワイトバランスセンサの出力に基づいて、ＬＣＤの色相を外部光源の色温度に合わせる補正処理を行なう。
【特許文献１】特開平５‐９１３７６号公報
【発明の開示】
【発明が解決しようとする課題】
【０００４】
上述した特許文献１に記載されたディスプレイ装置は、バックライトとして選択した内部光源または外部光源の色温度に適する色相でＬＣＤを駆動する技術を開示するものである。ここで、特許文献１に記載されたディスプレイ装置は、選択した内部または外部のいずれか一方の光源のみをバックライトとして用いてＬＣＤパネルを照射する。したがって、ＬＣＤパネルを透過する光の色温度は、選択された内部光源または外部光源の色温度に大きく依存してしまうという課題があった。特に、バックライトとして内部光源を選択してＬＣＤを駆動させた場合、製品毎の内部光源のランプの色温度特性が一定でないと、ＬＣＤパネルを透過する光の色温度が製品ごとに異なってしまうという課題があった。
【０００５】
本発明は、上記課題にかんがみてなされたもので、複数のバックライトを用いて、容易に液晶パネルを透過する光の色温度を調整することが可能な液晶モジュールおよびバックライト調整装置を提供することを目的とする。
【課題を解決するための手段】
【０００６】
上記目的を達成するため、請求項１にかかる発明は、ＲＧＢに対応する複数の画素にて構成される液晶パネルと、所定のデジタル映像信号を入力し同デジタル映像信号に基づく映像を同液晶パネルに表示させる液晶パネル駆動部と、同液晶パネルを背面側から照射するバックライト部と、交流電圧を同バックライト部に供給して同バックライト部を所定の輝度により点灯させるインバータと、同インバータに接続して所定の制御処理を行なうマイコンとを備える液晶モジュールにおいて、同バックライト部は、色温度が高い蛍光管と色温度が低い蛍光管とによる複数の蛍光管を備え、同マイコンは、同インバータに上記交流電圧のデューティ比を変化させる制御信号を送信し、同インバータに同制御信号に基づいて複数の蛍光管の輝度を各蛍光管毎に変化させることにより、同バックライト部が照射する照射光の色温度を調整する構成としてある。
【０００７】
上記のように構成した請求項１にかかる発明においては、液晶パネル駆動部は、所定のデジタル映像信号を入力して、同デジタル映像信号に基づく映像を液晶パネルに表示させる。同液晶パネルは、ＲＧＢに対応する複数の画素にて構成されている。一方、バックライト部は、インバータから交流電圧を供給されて所定の輝度により点灯し、同液晶パネルを背面側から照射する。マイコンは、同インバータに接続して所定の制御処理を行なう。かかる構成においては、液晶パネルを透過する光の色温度は、バックライト部が照射する照射光の色温度に大きく依存する。
【０００８】
そこで、マイコンは、インバータに上記複数の蛍光管の輝度を各蛍光管毎に変化させるため、インバータに上記交流電圧のデューティ比を変化させる制御信号を送信する。同制御信号を受信したインバータは、同制御信号に基づいて、上記複数の蛍光管の輝度を各蛍光管毎に変化させる。すなわち、各蛍光管の点灯時間と無点灯時間の比は各蛍光管に供給される交流電圧のデューティ比に基づいて定まるため、同制御信号に基づいて上記交流電圧のデューティ比を変化させれば、各蛍光管の輝度を変化させることができる。
【０００９】
色温度の異なる複数の蛍光管に供給される交流電圧のデューティ比を夫々に異ならせると、色温度の異なる複数の蛍光管が互いに異なる輝度で点灯するため、バックライト部からの照射光の色温度を調整することができる。ここで、同バックライト部は、色温度が高い蛍光管と、色温度が低い蛍光管とによる複数の蛍光管を備えている。色温度が高い蛍光管は、照射光が青みがかった白となり、色温度が低い蛍光管は、照射光が赤みがかった白となる。従って、同インバータが同マイコンからの同制御信号に基づいて、色温度の高い蛍光管と、色温度の低い蛍光管との輝度をそれぞれ変化させることにより、バックライト部が液晶パネルを照射する照射光の色温度を、青みがかった白と赤みがかった白との間で調整することができる。その結果的、液晶パネルを透過する光の色温度を調整することができる。
【００１０】
上述した技術的思想は、具体的な製品機器である液晶モジュールに限定されること無く、バックライト部の照射光の色温度を調整するバックライト調整装置としても成立しうることは言うまでもない。そこで、請求項２にかかる発明は、色温度が互いに異なる複数のバックライトを有し、液晶パネル周辺の所定位置に配設されて同液晶パネルを背面側から照射するバックライト部と、同バックライト部の複数のバックライトの輝度を各バックライト毎に変化させることにより、同バックライト部から照射される照射光の色温度を調整するバックライト調整部とを備える構成としてある。
【００１１】
上記のように構成した請求項２にかかる発明においては、バックライト部は、色温度が互いに異なる複数のバックライトを有している。また、同液晶パネルを背面側から照射するために、同バックライト部は、液晶パネル周辺の所定位置に配設されている。
バックライト調整部は、バックライト部における、色温度が互いに異なる複数のバックライトの輝度を各バックライト毎に変化させる。従って、バックライト部が液晶パネルを照射する照射光の色温度を調整することができ、その結果、液晶パネルを透過する光の色温度を調整することが可能となる。
【００１２】
請求項３にかかる発明は、上記請求項２に記載のバックライト調整装置において、上記バックライト部は、色温度が高いバックライトと色温度が低いバックライトとからなる構成としてある。
【００１３】
上記のように構成した請求項３にかかる発明においては、上記バックライト部は、色温度が高いバックライトと、色温度が低いバックライトとからなる。色温度の高いバックライトと、色温度の低いバックライトの輝度をそれぞれ変化させることにより、バックライト部が液晶パネルを照射する照射光の色温度を、青みがかった白と赤みがかった白との間で調整することができる。すなわち、色温度の高いバックライトの輝度を高くし、色温度の低いバックライトの輝度を低くすれば、バックライト部からの照射光は青みの強い白色光となる。逆に、色温度の低いバックライトの輝度を高くし、色温度の高いバックライトの輝度を低くすれば、バックライト部からの照射光は赤みの強い白色光となる。従って、液晶パネルを透過する光の色温度も、青みがかった白と赤みがかった白との間で調整される。
【００１４】
請求項４にかかる発明は、上記請求項２または請求項３のいずれかに記載のバックライト調整装置において、上記バックライト部は、上記液晶パネルの略側面位置に配設される構成としてある。
【００１５】
上記のように構成した請求項４にかかる発明においては、上記バックライト部は、上記液晶パネルの略側面位置に配設される。すなわち、液晶パネルの背面側に配設せず、略側面位置に配設することで、同バックライト調整装置が収納される装置全体を薄く成形することが可能となる。
【００１６】
ここで、バックライトとして用いる発光体は種々考えられ、例えば、バックライトとして、蛍光管を採用してもよい。そこで、請求項５にかかる発明は、上記請求項２〜請求項４のいずれかに記載のバックライト調整装置において、上記バックライト部の複数のバックライトは、蛍光管である構成としてある。
【００１７】
上記のように構成した請求項５にかかる発明においては、上記バックライト部の複数のバックライトに、蛍光管を採用している。本願においては、互いに色温度の異なる複数の蛍光管をバックライトとして用いるため、一の蛍光管をバックライトに用いた場合には液晶パネルを透過する光の色温度が一の蛍光管の色温度特性に依存してしまう、という弊害が解消される。
【００１８】
請求項６にかかる発明は、上記請求項２〜請求項５のいずれかに記載のバックライト調整装置において、上記バックライト調整部は、上記バックライト部に交流電圧を供給して上記バックライト部の複数のバックライトを所定の輝度により点灯させるインバータと、同インバータに所定の制御信号を送信して、同インバータに同制御信号に基づいて複数のバックライトの輝度を各バックライト毎に変化させるインバータ制御部とを備える構成としてある。
【００１９】
上記のように構成した請求項６にかかる発明においては、上記バックライト調整部は、インバータと、インバータ制御部とを備えている。ここで、インバータ制御部は、インバータに、上記バックライト部の複数のバックライトの輝度を各バックライト毎に変化させるための所定の制御信号を送信する。インバータは、交流電圧を同バックライト部に供給して同バックライト部を所定の輝度により点灯させる働きをするが、インバータ制御部から同制御信号を受信した場合には、同制御信号に基づいて上記複数のバックライトの輝度を各バックライト毎に変化させる。すなわち、同制御信号を受信したインバータは、同制御信号に基づいて各バックライト毎に変化させた輝度により、各バックライトを点灯させる。
【００２０】
請求項７にかかる発明は、上記請求項６に記載のバックライト調整装置において、上記インバータ制御部は、上記インバータが上記バックライト部に供給する交流電圧のデューティ比を変化させる制御信号を上記インバータに送信する構成としてある。
【００２１】
上記のように構成した請求項７にかかる発明においては、上記インバータ制御部は、上記インバータが上記バックライト部に供給する交流電圧のデューティ比を変化させる制御信号を上記インバータに送信する。同制御信号を受信したインバータは、同制御信号に基づいて上記バックライト部に供給する交流電圧のデューティ比を変化させ、当該デューティ比が変化した交流電圧を上記バックライト部に供給する。各バックライトの輝度は、デューティ比が変化した交流電圧の供給を受けることにより変化し、当該変化した輝度により各バックライトは夫々点灯する。すなわち、色温度の異なる複数のバックライトに供給される交流電圧のデューティ比を各バックライト毎に異ならせることで、色温度の異なる複数のバックライトが夫々異なる輝度で点灯する。その結果、バックライト部からの照射光の色温度を調整することができる。
【００２２】
請求項８にかかる発明は、上記請求項７に記載のバックライト調整装置において、上記インバータ制御部は、上記インバータが上記バックライト部に供給する交流電圧のデューティ比を変化させる度合いを予めデータとして有しており、当該データに基づく制御信号を上記インバータに送信する構成としてある。
【００２３】
上記のように構成した請求項８にかかる発明においては、上記インバータ制御部は、上記インバータが上記バックライト部に供給する交流電圧のデューティ比を変化させる度合いを予めデータとして所定の記憶領域に有している。そして、各バックライトの輝度を変化させてバックライト部から照射される照射光の色温度を調整する場合に、インバータ制御部は、当該データに基づく制御信号をインバータに送信する。同制御信号を受信したインバータは、同制御信号に基づいて上記バックライト部に供給する交流電圧のデューティ比を変化させ、各バックライト毎の輝度を変化させる。
【発明の効果】
【００２４】
以上説明したように、請求項１にかかる発明によれば、バックライト部からの照射光の色温度を青みがかった白と赤みがかった白との間で調整することにより、液晶パネルを透過する光の色温度を容易に調整することが可能な液晶モジュールを提供することができる。
また、請求項２にかかる発明によれば、バックライト部からの照射光の色温度を調整することにより、液晶パネルを透過する光の色温度を容易に調整することが可能なバックライト調整装置を提供することができる。
さらに、請求項３にかかる発明によれば、液晶パネルを透過する光の色温度を、青みがかった白と赤みがかった白との間で調整することができる。
さらに、請求項４にかかる発明によれば、バックライト調整装置が収納される装置全体を薄く成形することができる。
さらに、請求項５にかかる発明によれば、バックライトとして用いる発光体の好適な一例を示すことができる。
【００２５】
さらに、請求項６にかかる発明によれば、インバータ制御部がインバータに送信する制御信号により各バックライトの輝度を変化させることができる。
さらに、請求項７にかかる発明によれば、各バックライトの点灯時間と無点灯時間の比を変化させることにより、各バックライトの輝度を変化させることができる。
さらに、請求項８にかかる発明によれば、インバータ制御部が予め有する所定のデータに基づいて、インバータ制御部は容易にインバータに所定の制御信号を送信することができる。
【発明を実施するための最良の形態】
【００２６】
図１は、本願発明の一実施形態にかかる液晶モジュールを用いた液晶表示装置の概略構成を示した図である。
同図においては、液晶表示装置１０は、概略、チューナ１１と、Ａ／Ｄ変換回路１２と、Ｙ／Ｃ分離回路１３と、画質調整回路１４と、色復調回路１５と、マトリクス回路１６と、同期回路１７と、液晶モジュール２０とからなる。液晶モジュール２０は、液晶ドライバ回路２１と、液晶パネル２２と、バックライト部２３と、インバータ２４と、マイコン２５とからなる。マイコン２５は、インバータ２４に接続しており、インバータ２４がバックライト部２３を点灯させる際に所定の制御信号を送信する。
【００２７】
チューナ１１は、マイコン２５の制御により、アンテナ１１ａを介してテレビジョン放送信号を受信する。チューナ１１からは、テレビジョン放送信号に基づいたアナログ映像信号としてのビデオコンポジット信号が出力される。同ビデオコンポジット信号は、Ａ／Ｄ変換回路１２に入力し、同Ａ／Ｄ変換回路１２において、そのアナログ映像信号の信号レベルに応じてデジタル信号化される。デジタル信号化された映像信号は、Ｙ／Ｃ分離回路１３に出力される。同Ｙ／Ｃ分離回路１３においては、同デジタル化された映像信号に基づいて、輝度信号とクロマ信号への分離が行なわれる。分離された輝度信号は、画質調整回路１４に入力し、同画質調整回路１４において所定の画質調整が行なわれた後、マトリクス回路１６に出力される。一方、分離されたクロマ信号は、色復調回路１５において、Ｒ‐Ｙ及びＢ‐Ｙの色差信号に復調された後、マトリックス回路１６に出力される。マトリクス回路１６においては、入力した輝度信号と色差信号とに基づいてマトリクス変換処理が行なわれ、ＲＧＢ信号が生成される。
【００２８】
また、デジタル信号化された映像信号は同期回路１７にも入力する。同期回路１７においては、同デジタル信号化された映像信号から同期信号を抽出し、当該同期信号を液晶ドライバ回路２１に出力する。液晶ドライバ回路２１は、図示しないスケーラ、コントロール回路、水平走査回路、垂直走査回路等を有する。スケーラは、同マトリクス回路１６から入力したＲＧＢ信号に対してスケーリング処理を行い、液晶パネル２２に表示される１画面分のＲＧＢ信号を生成する。
【００２９】
一方、同期回路１７から液晶ドライバ回路２１に入力した同期信号は、コントロール回路に入力する。コントロール回路は、同期信号に基づいてコントロール信号電圧を生成し、水平走査回路及び垂直走査回路に出力する。そして、水平走査回路は、スケーラが出力するＲＧＢ信号と同コントロール信号電圧とを取得して、液晶パネル２２の水平方向に各画素の表示タイミングを同期させながら各画素の画像表示を行なわせる。また、垂直走査回路は、同コントロール信号電圧に基づいて、液晶パネル２２の垂直方向の走査線を駆動する。
【００３０】
バックライト部２３は、液晶パネル２２の背面を照射する光源の役割を果たし、インバータ２４と接続している。インバータ２４は、直流電圧を交流電圧に変換した上で、同交流電圧をバックライト部２３に印加してバックライト部２３を点灯させる。また、インバータ２４はマイコン２５と接続しており、マイコン２５から所定の制御信号を受信し、同制御信号に基づいてバックライト部２３に印加する交流電圧のデューティ比を変化させる。同制御信号に基づいてデューティ比が変化した交流電圧がバックライト部２３に印加されると、後述するように、バックライト部２３の照射光の色温度が調整される。
【００３１】
図２は、液晶パネル２２とバックライト部２３とを斜視図により示してる。
本実施形態においては、色温度の高い蛍光管２３ａと、色温度の低い蛍光管２３ｂとの二本の蛍光管をバックライト部２３として用いる。色温度の高い蛍光管２３ａからは、青みがかった白色光が照射され、色温度の低い蛍光管２３ｂからは、赤みがかった白色光が照射される。液晶パネル２２は、偏光板２２ａ、ガラス基板２２ｂ、液晶２２ｃ、導光板２２ｄ、反射板２２ｅ等が薄板状層となって構成されている。ここで導光板２２ｄは、蛍光管２３ａ，２３ｂからの照射光を液晶パネル２２全体に導く働きをする。また、図に示すように、蛍光管２３ａ，２３ｂは、導光板２２ｄの上下各側面部に配設されている。このように蛍光管２３ａ，２３ｂを導光板２２ｄの上下各側面部に配設することで、本願発明にかかる液晶モジュール２０を収納する液晶表示装置１０の全体形状を薄く成形できる。
【００３２】
ここで一般に、蛍光管の照射光の色温度は、蛍光管内部に塗布された蛍光材や、内部に封入されたガスや、同ガスの気圧など様々な要因によって定まる。従って、蛍光管の一製品毎の色温度を完全に一致させるためには、大きな労力とコストが必要になる。また、液晶はそれ自体は発光しないので、液晶パネルの色温度は、背面から液晶パネルを透過するバックライトの照射光の色温度に大きく依存する。従って、バックライトとして一本の蛍光管を用いた場合には、液晶パネルの色温度は、その蛍光管の色温度に大きく依存してしまい、液晶モジュールの各製品毎に液晶パネルの色温度が微妙に異なってしまうという問題があった。
【００３３】
そこで、本実施形態においては、バックライト部２３として色温度の高い蛍光管２３ａと色温度の低い蛍光管２３ｂの二本の蛍光管を用いることで、液晶パネル２２の色温度が一本の蛍光管の色温度特性に依存してしまうことを防いでいる。また、液晶パネル２２を透過する白色光の色温度を青みがかった白と赤みがかった白との間で自由に調整できるようにしている。特に、液晶表示装置１０の仕向け国によって好まれる白色光の色温度が異なる場合であっても、本実施形態におけるバックライト部２３の構成を採ることにより、何れの仕向け国で好まれる白色光の色温度にも合わせることが可能となる。以下、本実施形態における、液晶パネル２２の白色光の色温度を調整するための処理について説明する。
【００３４】
図３は、バックライト部２３とインバータ２４とマイコン２５とをブロック図により示している。マイコン２５には、メモリ２５ａが搭載されている。
同図において、インバータ２４は、発振回路２４ａと、波形合成回路２４ｂと、スイッチング回路２４ｃとを備えている。また、インバータ２４は、接続線２４ｄにより直流電圧を取得している。同直流電圧は、図示しない電源用回路から供給されており、同電源用回路は液晶表示装置１０全体を駆動させるために商用交流電源を直流電圧に変換している。同直流電圧は、発振回路２４ａで生成された所定の周波数の発振信号と波形合成回路２４ｂにおいて合成された後、スイッチング回路２４ｃに出力される。同スイッチング回路２４ｃは、入力した直流電圧を交流電圧に変換してバックライト部２３に出力する。
【００３５】
すなわち、スイッチング回路２４ｃに入力した直流電流に対してスイッチング素子２４ｃ１，２４ｃ２をオン・オフに交互に切換えることで、出力側に交流電圧を取り出す。スイッチング回路２４ｃからの出力は駆動パルス信号となって、バックライト部２３を構成する各蛍光管２３ａ，２３ｂの電極に印加され、蛍光管２３ａ，２３ｂを夫々点灯させる。なお、スイッチング素子２４ｃ１を切換えることで生成された駆動パルス信号は、蛍光管２３ａに供給され、スイッチング素子２４ｃ２を切換えることで生成された駆動パルス信号は、蛍光管２３ｂに供給される。
【００３６】
ここで、駆動パルス信号の供給を受けて点灯する蛍光管２３ａ，２３ｂの輝度は、同駆動パルス信号のデューティ比によって定まる。蛍光管２３ａ，２３ｂは、駆動パルス信号の信号レベルがＨレベルであるときに点灯し、Ｌレベルであるときは無点灯となる。従って、蛍光管２３ａ，２３ｂの輝度は、供給される駆動パルス信号のＨレベルとＬレベルの比によって定まり、駆動パルス信号の一周期におけるＨレベルの割合、すなわちデューティ比が高いほど高輝度で発光する。逆に、駆動パルス信号の一周期におけるＨレベルの割合が低いほど低輝度で発光する。
【００３７】
上述したように、蛍光管２３ａ，２３ｂの輝度は、蛍光管２３ａ，２３ｂに供給される駆動パルス信号のデューティ比によって定まるので、各蛍光管２３ａ，２３ｂの輝度を個別に変化させるには、各蛍光管２３ａ，２３ｂに供給される駆動パルス信号のデューティ比を個別に変化させればよい。そこで、マイコン２５は、各蛍光管２３ａ，２３ｂに供給される駆動パルス信号のデューティ比を個別に変化させる制御信号を、インバータ２４のスイッチング回路２４ｃに送信する。具体的には、スイッチング回路２４ｃがスイッチング素子２４ｃ１を切換えるタイミングを変化させる制御信号と、スイッチング素子２４ｃ２を切換えるタイミングを変化させる制御信号とを送信する。
【００３８】
同制御信号を受信したスイッチング回路２４ｃは、上記スイッチング素子２４ｃ１を切換えるタイミングを変化させる制御信号に基づいて、スイッチング素子２４ｃ１がオンである時間とオフである時間との比を変更し、上記スイッチング素子２４ｃ２を切換えるタイミングを変化させる制御信号に基づいて、スイッチング素子２４ｃ２がオンである時間とオフである時間との比を変更する。すると、スイッチング回路２４ｃから蛍光管２３ａと蛍光管２３ｂとに夫々出力される駆動パルス信号のＨレベルとＬレベルの比が個別に変化する。かかるデューティ比が変化した駆動パルス信号の供給を受けた蛍光管２３ａ，２３ｂは、夫々に点灯時間と無点灯時間との比が変わり、その結果、個別に輝度が変化する。
【００３９】
図４は、マイコン２５がスイッチング回路２４ｃに送信する制御信号を生成するためのデータを定めたテーブル３０である。同テーブル３０は、マイコン２５に搭載されたメモリ２５ａに予め記憶されている。
同図において、右列のＡ，Ｂ，Ｃは、液晶表示装置１０の仕向け国の別を表わしている。中列の、ａ１，ｂ１，ｃ１は、それぞれＡ，Ｂ，Ｃ国向の製品である場合に求められる、色温度の高い蛍光灯２３ａのデューティ比を定めたデータである。一方、左列のａ２，ｂ２，ｃ２は、それぞれＡ，Ｂ，Ｃ国向の製品である場合に求められる、色温度の低い蛍光灯２３ｂのデューティ比を定めたデータである。
【００４０】
ここで、液晶表示装置１０の仕向け国が、例えばＡ国である場合には、マイコン２５は、メモリ２５ａに記憶されたテーブル３０からデータａ１，ａ２を取得し、当該データａ１，ａ２に基づいた制御信号をインバータ２４のスイッチング回路２４ｃに送信する。そして、スイッチング回路２４ｃにおいては、スイッチング素子２４ｃ１のオン・オフの時間の比が、データａ１に基づく制御信号によって変更される。同様に、スイッチング素子２４ｃ２のオン・オフの時間の比が、データａ２に基づく制御信号によって変更される。その結果、スイッチング回路２４から蛍光管２３ａに供給される駆動パルス信号のデューティ比はａ１となり、当該デューティ比の変化に基づいて変化した輝度により蛍光管２３ａは点灯する。また、蛍光管２３ｂに供給される駆動パルス信号のデューティ比はａ２となり、当該デューティ比の変化に基づいて変化した輝度により蛍光管２３ｂは点灯する。
【００４１】
上述のように、蛍光管２３ａ，２３ｂの輝度を夫々変化させることで、バックライト部２３の照射光の色温度を調整することが可能となる。例えば、Ａ国において液晶パネル２２の白色光の色温度は赤みがかった白が好まれる場合には、上記テーブル３０のデータａ１を低いデューティ比に設定し、データａ２を高いデューティ比に設定しておけばよい。かかるデータａ１，ａ２に基づく制御信号をマイコン２５がインバータ２４に送信して、各蛍光管２３ａ，２３ｂに供給される駆動パルス信号のデューティ比を変化させれば、蛍光管２３ａの輝度は低くなり、蛍光管２３ｂの輝度は高くなる。従って、蛍光管２３ａの照射光と蛍光管２３ｂの照射光の混合光であるバックライト部２３全体の照射光の色温度は、赤みがかった白となる。
【００４２】
その結果、バックライト部２３の照射光を背面から透過する液晶パネル２２の白色光の色温度も赤みがかった白となる。すなわち、仕向け国毎に好まれる白色光の色温度に対応した蛍光管２３ａ，２３ｂの輝度を夫々定めるデューティ比を、上記テーブル３０に記憶しておくことで、各仕向け国用に液晶パネル２２の白色光の色温度が適切に調整された液晶モジュール２０を、効率よく生産できる。
【００４３】
以上の説明においては、マイコン２５がインバータ２４に送信する制御信号を生成するためのデータを、テーブル３０としてマイコン２５のメモリ２５ａに有していた。しかし、かかるテーブル３０をマイコン２５のメモリ２５ａに持たずに、バックライト部２３の色温度の調整をしてもよい。すなわち、調整者が、マイコン２５に任意のデューティ比を入力し、当該デューティ比に基づく制御信号をインバータ２４に送信させて、バックライト部２３に供給される駆動パルス信号のデューティ比を変化させてもよい。このように、バックライト部２３に供給される駆動パルス信号のデューティ比を任意の割合で変化させれば、より細かなバックライト部２３の色温度の調整が可能となる。
【００４４】
本願発明には、上に述べた有用な効果の他にも、以下のような効果がある。
従来では、液晶パネルを透過する光の色温度の調整を、液晶パネル中に積層されたカラーフィルタを用いて行なっていた。しかし、液晶パネルを透過する光の色温度は、バックライトの照射光の色温度に大きく左右されるため、カラーフィルタを用いての色温度の調整には限界があった。すなわち、バックライトの色温度が、他の製品と比較して所定の範囲以上に異なる製品についてはカラーフィルタによっても所望の色温度に調整できず、かかる製品は出荷対象から外れていた。ここで、本実施形態にかかる液晶モジュール２０は、色温度の異なる二本の蛍光管２３ａ，２３ｂの輝度を夫々に変化させて、バックライト部２３の色温度を調整する。したがって、従来の、色温度が固定されたバックライトとカラーフィルタの組み合わせによる液晶パネルの色温度調整と比較して、より正確に所望の色温度に調整できる。その結果、出荷対象から外れる製品の数も極端に少なくすることが可能となる。
【００４５】
他の効果として、生産コストの低減という効果もある。本実施形態においては、バックライト部２３の照射光は、二本の蛍光管２３ａ，２３ｂの照射光の混合光であり、バックライト部２３の色温度は、蛍光管２３ａ，２３ｂの輝度の比によって調整することができる。従って、一本の蛍光管をバックライトとして用いる場合に要求される製品間における蛍光管の色温度の一致性に比べ、製品間における蛍光管２３ａ同士の色温度の一致性、および蛍光管２３ｂ同士の色温度の一致性は高精度では要求されず、生産コストの低減につながる。
【００４６】
さらに、液晶パネル２２の白色光の色温度は、何れの仕向け国で好まれる色温度にも合わせることが可能なので、製品を出荷する仕向け国毎に、その国で好まれる白色光の色温度で点灯するバックライトを用意する必要が無い。すなわち、色温度の高い蛍光管２３ａと色温度の低い蛍光管２３ｂとをバックライト部２３として備える同一の液晶モジュール２０を、全出荷台数分生産すればよいので、複数の仕向け国用に大量生産を行なう場合に、大きく生産コストを低減させることができる。
【００４７】
このように、マイコン２５がインバータ２４に送信する制御信号により、色温度の高い蛍光管２３ａと、色温度の低い蛍光管２３ｂとに夫々供給される駆動パルス信号のデューティ比を個別に変化させ、バックライト部２３全体が照射する照射光の色温度を、青みがかった白と赤みがかった白との間で自由に調整する。したがって、液晶パネル２２を透過する白色光の色温度も、青みがかった白と赤みがかった白との間で調整され、液晶パネル２２の白色光の色温度を、仕向け国に応じた適切な色温度に容易に調整することができる。
【図面の簡単な説明】
【００４８】
【図１】本願発明の一実施形態にかかる液晶モジュールを用いた液晶表示装置の概略構成図である。
【図２】液晶パネル２２とバックライト部２３とを示した斜視図である。
【図３】バックライトとインバータとマイコンとを示したブロック図である。
【図４】制御信号を生成するためのデータを定めたテーブルの構成図である。
【符号の説明】
【００４９】
１０…液晶表示装置
１１…チューナ
１２…Ａ／Ｄ変換回路
１３…Ｙ／Ｃ分離回路
１４…画質調整回路
１５…色復調回路
１６…マトリクス回路
１７…同期回路
２０…液晶モジュール
２１…液晶ドライバ回路
２２…液晶パネル
２２ａ…偏光板
２２ｂ…ガラス基板
２２ｃ…液晶
２２ｄ…導光板
２２ｅ…反射板
２３…バックライト部
２３ａ，２３ｂ…蛍光管
２４…インバータ
２４ａ…発振回路
２４ｂ…波形合成回路
２４ｃ…スイッチング回路
２４ｃ１，２４ｃ２…スイッチング素子
２４ｄ…接続線
２５…マイコン
２５ａ…メモリ
３０…テーブル
【図１】
2005309004.tif 000003
【図２】
2005309004.tif 000004
【図３】
2005309004.tif 000005
【図４】
2005309004.tif 000006